(57)【要約】【課題】非同期にメッセージを交換するアプリケーションにおいて、メッセージのやりとりの内容を効果的に表現したアバターを相手ユーザに対して提示できる通信端末を提供すること。【解決手段】通信端末１は、アバターの複数の表現それぞれに対応する表示データ、及び表示条件を記憶するアバターＤＢ２１と、他の端末へ送信するメッセージの入力を受け付ける受付部１１と、他の端末へ送信する際の環境情報を取得する取得部１２と、複数の表現のうち、メッセージに含まれるデータ及び環境情報が表示条件を満たしている表現を判定する判定部１３と、判定された表現に対応する表示データを抽出し、メッセージと共に他の端末へ送信する送信部１４と、他の端末からメッセージ及び表示データを受信する受信部１５と、受信したメッセージと対応付けて、表示データに基づくアバターを表示させる表示制御部１６と、を備える。【選択図】図１
2015069368.tif 000002
【特許請求の範囲】
【請求項１】
ユーザに対応付けて設けられるアバターの複数の表現それぞれに対応する表示データ、及び表示条件を記憶するアバター記憶部と、
他のユーザの端末へ送信するメッセージの入力を受け付ける受付部と、
前記他のユーザの端末へ送信する際の環境情報を取得する取得部と、
前記複数の表現のうち、前記メッセージに含まれるデータ及び前記環境情報が前記表示条件を満たしている１又は複数の表現を判定する判定部と、
前記判定部により判定された表現に対応する表示データを抽出し、前記メッセージと共に前記他のユーザの端末へ送信する送信部と、
前記他のユーザの端末からメッセージ及び前記表示データを受信する受信部と、
前記受信部により受信されたメッセージと対応付けて、当該メッセージと共に受信した表示データに基づくアバターを表示させる表示制御部と、を備える通信端末。
【請求項２】
前記環境情報は、前記メッセージの送信日時を含む請求項１に記載の通信端末。
【請求項３】
前記環境情報は、前記メッセージの送信先とのメッセージ交換頻度を含む請求項１又は請求項２に記載の通信端末。
【請求項４】
前記送信部は、複数の表示データを、前記他のユーザの端末における表示条件と共に送信する請求項１から請求項３のいずれかに記載の通信端末。
【請求項５】
前記他のユーザの端末における表示条件は、前記メッセージが閲覧された日時の条件である請求項４に記載の通信端末。
【請求項６】
複数の通信端末間における非同期のメッセージ交換を管理する管理サーバであって、
ユーザに対応付けて設けられるアバターの複数の表現それぞれに対応する表示データ、及び表示条件を記憶するアバター記憶部と、
送信側の通信端末において入力されたメッセージ、及び当該送信側の通信端末における環境情報を受信し、前記複数の表現のうち、当該受信したメッセージに含まれるデータ及び前記環境情報が前記表示条件を満たしている１又は複数の表現を判定する判定部と、
前記判定部により判定された表現に対応する表示データを抽出し、前記メッセージと共に受信側の通信端末へ送信し、当該受信側の通信端末においてメッセージと共に受信した表示データに基づくアバターを表示させる送信部と、を備える管理サーバ。
【請求項７】
複数の通信端末と、当該複数の通信端末間における非同期のメッセージ交換を管理する管理サーバと、を備えるメッセージ交換システムであって、
ユーザに対応付けて設けられるアバターの複数の表現それぞれに対応する表示データ、及び表示条件を記憶するアバター記憶部と、
送信側の通信端末において受信側の通信端末へ送信するメッセージの入力を受け付ける受付部と、
前記送信側の通信端末における環境情報を取得する取得部と、
前記複数の表現のうち、前記メッセージに含まれるデータ及び前記環境情報が前記表示条件を満たしている１又は複数の表現を判定する判定部と、
前記判定部により判定された表現に対応する表示データを抽出し、前記メッセージと共に前記受信側の通信端末へ送信する送信部と、
前記受信側の通信端末がメッセージ及び前記表示データを受信する受信部と、
前記受信部が受信したメッセージと対応付けて、当該メッセージと共に受信した表示データに基づくアバターを表示させる表示制御部と、を備えるメッセージ交換システム。
【請求項８】
複数の通信端末の間における非同期のメッセージ交換方法であって、
前記複数の通信端末は、ユーザに対応付けて設けられるアバターの複数の表現それぞれに対応する表示データ、及び表示条件を記憶し、
送信側の通信端末において受信側の通信端末へ送信するメッセージの入力を受け付ける受付ステップと、
前記送信側の通信端末における環境情報を取得する取得ステップと、
前記複数の表現のうち、前記メッセージに含まれるデータ及び前記環境情報が前記表示条件を満たしている１又は複数の表現を判定する判定ステップと、
前記判定ステップにおいて判定された表現に対応する表示データを抽出し、前記メッセージと共に前記受信側の通信端末へ送信する送信ステップと、
前記受信側の通信端末がメッセージ及び前記表示データを受信する受信ステップと、
前記受信ステップにおいて受信したメッセージと対応付けて、当該メッセージと共に受信した表示データに基づくアバターを表示させる表示ステップと、を実行するメッセージ交換方法。
【請求項９】
複数の通信端末の間で非同期にメッセージを交換させるためのメッセージ交換プログラムであって、
前記複数の通信端末は、ユーザに対応付けて設けられるアバターの複数の表現それぞれに対応する表示データ、及び表示条件を記憶し、
送信側の通信端末において受信側の通信端末へ送信するメッセージの入力を受け付ける受付ステップと、
前記送信側の通信端末における環境情報を取得する取得ステップと、
前記複数の表現のうち、前記メッセージに含まれるデータ及び前記環境情報が前記表示条件を満たしている１又は複数の表現を判定する判定ステップと、
前記判定ステップにおいて判定された表現に対応する表示データを抽出し、前記メッセージと共に前記受信側の通信端末へ送信する送信ステップと、
前記受信側の通信端末がメッセージ及び前記表示データを受信する受信ステップと、
前記受信ステップにおいて受信したメッセージと対応付けて、当該メッセージと共に受信した表示データに基づくアバターを表示させる表示ステップと、を実行させるためのメッセージ交換プログラム。
【発明の詳細な説明】
【技術分野】
【０００１】
本発明は、非同期にメッセージを交換する通信端末、管理サーバ、メッセージ交換システム、メッセージ交換方法及びメッセージ交換プログラムに関する。
【背景技術】
【０００２】
従来、複数のユーザ間でインターネットを介してメッセージを交換するアプリケーション又はサービスが提供されている。また、ネットワーク上のコミュニケーションでは、交換メッセージに関連する情報を表示するもの、例えばユーザの分身としてのキャラクタであるアバターが利用される。
【０００３】
例えば、特許文献１には、文書に関する２人のユーザ間のコミュニケーションを促進するために、文書に対して注釈的にアバターを結び付け、定義された表現をさせる技術が提案されている。
また、特許文献２には、入力されたチャットメッセージに合わせて、仮想空間のアバターが相手ユーザに対してお辞儀をする等、相手ユーザに臨場感を伴ってメッセージを伝達可能にする技術が提案されている。
さらに、特許文献３には、インスタントメッセージングサービスのチャットウィンドウにおいてインスタントメッセージとオンライン文書をリンクし表示する技術が提案されている。
【先行技術文献】
【特許文献】
【０００４】
【特許文献１】特開平１１−３１２１５９号公報
【特許文献２】特開２００１−１６００２１号公報
【特許文献３】特開２０１３−１３１２２１号公報
【発明の概要】
【発明が解決しようとする課題】
【０００５】
しかしながら、メッセンジャー等の複数のユーザが非同期にメッセージを交換するコミュニケーションツールにおいて、メッセージのやりとりの内容に応じた効果的な関連情報を表現することは難しかった。
【０００６】
本発明は、非同期にメッセージを交換するアプリケーションにおいて、メッセージのやりとりの内容を効果的に表現した関連情報を相手ユーザに対して提示できる通信端末、管理サーバ、メッセージ交換システム、メッセージ交換方法及びメッセージ交換プログラムを提供することを目的とする。
【課題を解決するための手段】
【０００７】
本発明に係る通信端末は、ユーザに対応付けて設けられるアバターの複数の表現それぞれに対応する表示データ、及び表示条件を記憶するアバター記憶部と、他のユーザの端末へ送信するメッセージの入力を受け付ける受付部と、前記他のユーザの端末へ送信する際の環境情報を取得する取得部と、前記複数の表現のうち、前記メッセージに含まれるデータ及び前記環境情報が前記表示条件を満たしている１又は複数の表現を判定する判定部と、前記判定部により判定された表現に対応する表示データを抽出し、前記メッセージと共に前記他のユーザの端末へ送信する送信部と、前記他のユーザの端末からメッセージ及び前記表示データを受信する受信部と、前記受信部により受信されたメッセージと対応付けて、当該メッセージと共に受信した表示データに基づくアバターを表示させる表示制御部と、を備える。
【０００８】
前記環境情報は、前記メッセージの送信日時を含んでもよい。
【０００９】
前記環境情報は、前記メッセージの送信先とのメッセージ交換頻度を含んでもよい。
【００１０】
前記送信部は、複数の表示データを、前記他のユーザの端末における表示条件と共に送信してもよい。
【００１１】
前記他のユーザの端末における表示条件は、前記メッセージが閲覧された日時の条件でもよい。
【００１２】
本発明に係る管理サーバは、複数の通信端末間における非同期のメッセージ交換を管理するサーバであって、ユーザに対応付けて設けられるアバターの複数の表現それぞれに対応する表示データ、及び表示条件を記憶するアバター記憶部と、送信側の通信端末において入力されたメッセージ、及び当該送信側の通信端末における環境情報を受信し、前記複数の表現のうち、当該受信したメッセージに含まれるデータ及び前記環境情報が前記表示条件を満たしている１又は複数の表現を判定する判定部と、前記判定部により判定された表現に対応する表示データを抽出し、前記メッセージと共に受信側の通信端末へ送信し、当該受信側の通信端末においてメッセージと共に受信した表示データに基づくアバターを表示させる送信部と、を備える。
【００１３】
本発明に係るメッセージ交換システムは、複数の通信端末と、当該複数の通信端末間における非同期のメッセージ交換を管理する管理サーバと、を備えるシステムであって、ユーザに対応付けて設けられるアバターの複数の表現それぞれに対応する表示データ、及び表示条件を記憶するアバター記憶部と、送信側の通信端末において受信側の通信端末へ送信するメッセージの入力を受け付ける受付部と、前記送信側の通信端末における環境情報を取得する取得部と、前記複数の表現のうち、前記メッセージに含まれるデータ及び前記環境情報が前記表示条件を満たしている１又は複数の表現を判定する判定部と、前記判定部により判定された表現に対応する表示データを抽出し、前記メッセージと共に前記受信側の通信端末へ送信する送信部と、前記受信側の通信端末がメッセージ及び前記表示データを受信する受信部と、前記受信部が受信したメッセージと対応付けて、当該メッセージと共に受信した表示データに基づくアバターを表示させる表示制御部と、を備える。
【００１４】
本発明に係るメッセージ交換方法は、複数の通信端末の間における非同期のメッセージ交換方法であって、前記複数の通信端末は、ユーザに対応付けて設けられるアバターの複数の表現それぞれに対応する表示データ、及び表示条件を記憶し、送信側の通信端末において受信側の通信端末へ送信するメッセージの入力を受け付ける受付ステップと、前記送信側の通信端末における環境情報を取得する取得ステップと、前記複数の表現のうち、前記メッセージに含まれるデータ及び前記環境情報が前記表示条件を満たしている１又は複数の表現を判定する判定ステップと、前記判定ステップにおいて判定された表現に対応する表示データを抽出し、前記メッセージと共に前記受信側の通信端末へ送信する送信ステップと、前記受信側の通信端末がメッセージ及び前記表示データを受信する受信ステップと、前記受信ステップにおいて受信したメッセージと対応付けて、当該メッセージと共に受信した表示データに基づくアバターを表示させる表示ステップと、を実行する。
【００１５】
本発明に係るメッセージ交換プログラムは、複数の通信端末の間で非同期にメッセージを交換させるためのプログラムであって、前記複数の通信端末は、ユーザに対応付けて設けられるアバターの複数の表現それぞれに対応する表示データ、及び表示条件を記憶し、送信側の通信端末において受信側の通信端末へ送信するメッセージの入力を受け付ける受付ステップと、前記送信側の通信端末における環境情報を取得する取得ステップと、前記複数の表現のうち、前記メッセージに含まれるデータ及び前記環境情報が前記表示条件を満たしている１又は複数の表現を判定する判定ステップと、前記判定ステップにおいて判定された表現に対応する表示データを抽出し、前記メッセージと共に前記受信側の通信端末へ送信する送信ステップと、前記受信側の通信端末がメッセージ及び前記表示データを受信する受信ステップと、前記受信ステップにおいて受信したメッセージと対応付けて、当該メッセージと共に受信した表示データに基づくアバターを表示させる表示ステップと、を実行させる。
【発明の効果】
【００１６】
本発明によれば、非同期にメッセージを交換するアプリケーションにおいて、メッセージのやりとりの内容を効果的に表現した関連情報が相手ユーザに対して提示される。
【図面の簡単な説明】
【００１７】
【図１】実施形態に係る通信端末の機能構成を示すブロック図である。
【図２】実施形態に係る受信側の通信端末における画面表示例を示す図である。
【図３】実施形態に係る送信側の通信端末における画面表示例を示す図である。
【図４】実施形態に係るメッセージの送信処理を示すフローチャートである。
【図５】実施形態に係るメッセージの受信処理を示すフローチャートである。
【図６】実施形態に係るプレゼンス情報の通知処理を示すフローチャートである。
【発明を実施するための形態】
【００１８】
以下、本発明の実施形態の一例について説明する。
図１は、本実施形態に係る通信端末１の機能構成を示すブロック図である。
通信端末１は、制御部１０と、記憶部２０と、入力部３０と、表示部４０と、通信部５０とを備える。
【００１９】
制御部１０は、通信端末１の全体を制御する部分であり、記憶部２０に記憶された各種プログラムを適宜読み出して実行することにより、本実施形態における各種機能を実現している。制御部１０は、ＣＰＵ（Ｃｅｎｔｒａｌ  Ｐｒｏｃｅｓｓｉｎｇ  Ｕｎｉｔ）であってよい。
また、制御部１０が備える各部の機能の詳細は後述する。
【００２０】
記憶部２０は、ハードウェア群を通信端末１として機能させるための各種プログラム、及び各種データ等の記憶領域であり、ＲＯＭ、ＲＡＭ、フラッシュメモリ又はハードディスク（ＨＤＤ）等であってよい。具体的には、記憶部２０は、本実施形態の各機能を制御部１０に実行させるメッセージ交換プログラム、アバターＤＢ（データベース）２１、履歴ＤＢ２２（メッセージ履歴記憶部、表示履歴記憶部）等を記憶する。
【００２１】
アバターＤＢ２１は、通信端末１のユーザ毎に対応付けて設けられるアバターの複数の表現それぞれに対応する表示データ、及び表示条件を記憶する。なお、アバターの表現は、静止画像には限られず、動画像であってもよく、表示位置が移動するものであってもよい。
履歴ＤＢ２２は、受信したメッセージ及び送信するメッセージに対応付けて表示データの履歴を記憶する。
【００２２】
入力部３０は、通信端末１に対するユーザからの指示入力を受け付けるインタフェース装置である。入力部３０は、例えば、タッチパネル及び操作ボタン等により構成される。入力部３０が受け付けた指示入力は、制御部１０の受付部１１へ提供される。
【００２３】
表示部４０は、制御部１０の表示制御部１６による制御に従って、ユーザにデータの入力を受け付ける画面を表示したり、制御部１０による処理結果の画面を表示したりする。表示部４０は、液晶ディスプレイ（ＬＣＤ）又は有機ＥＬディスプレイ等のディスプレイ装置であってよい。
【００２４】
通信部５０は、通信端末１が他の装置と通信する場合のネットワーク・アダプタである。具体的には、通信部５０は、インターネットを介して、管理サーバ２と通信し、管理サーバ２による制御に従って複数の通信端末１の間でメッセージの交換を行う。
【００２５】
次に、制御部１０の機能を詳述する。
制御部１０は、受付部１１と、取得部１２と、判定部１３と、送信部１４と、受信部１５と、表示制御部１６とを備える。
【００２６】
受付部１１は、非同期にメッセージを交換する所定のアプリケーションにおいて、他のユーザが使用する受信側の通信端末１へ送信するメッセージの入力を、入力部３０を介して受け付ける。
【００２７】
また、受付部１１は、通信端末１のユーザからプレゼンス情報の設定入力を受け付け、このユーザのプレゼンス情報からメッセージを生成する。このメッセージは、送信相手に対して非公開な、アバターの表現を判定するためだけのテキストデータであってもよい。
プレゼンス情報は、現在時刻、スケジュール情報、加速度センサ情報、測位情報等に基づいて自動で取得されてもよい。例えば、通信端末１の移動が検出されず、かつ、深夜の時間帯の場合には就寝中であることが推定される。また、現在時刻とスケジュール情報とを照合し、ユーザの状況が推定される。このようなプレゼンス情報の取得は、タイマー計時に基づいても自動的に行われてもよいし、他の通信端末１からの要求に応じて行われてもよい。また、受付部１１は、通信端末１のユーザから送信メッセージを所定時間受け付けていない場合に、プレゼンス情報を取得してもよい。
【００２８】
取得部１２は、メッセージを他のユーザの端末へ送信する際の環境情報を取得する。
環境情報は、通信相手、メッセージの送信日時、送信場所、同一の宛先への前回の送信日時からの時間間隔、通信相手との親密度を示すメッセージ交換頻度等を含む。
【００２９】
判定部１３は、予め用意されているアバターの複数の表現のうち、少なくともこれから送信するメッセージを含む判定対象メッセージに含まれるデータ、及び取得部１２により得られた環境情報が表示条件を満たしている１又は複数の表現を判定する。
このとき、判定部１３は、他のユーザの通信端末１から受信したメッセージを含む複数のメッセージに基づいて、表現を判定することが好ましい。
また、判定部１３は、前述のプレゼンス情報から生成されたメッセージに対しても、アバターの表現を判定する。
【００３０】
判定部１３は、環境情報に基づいて表現を判定することにより、例えば、メッセージの送信日時又は送信場所等に基づくアバターの背景、あるいは、時間間隔又は親密度等に基づくアバターの振る舞いが選択される。
【００３１】
送信部１４は、判定部１３により判定された表現に対応する表示データを抽出し、メッセージと共に他のユーザの通信端末１へ送信する。なお、プレゼンス情報に基づくメッセージの場合、送信部１４は、このメッセージの送信を省略して表示データのみを送信してもよい。
【００３２】
ここで、表示データは、判定部１３により判定された表現、及びこの表現の所定時間後に表示させるための所定の表現を含んでもよい。これにより、表示データを受信した通信端末１では、メッセージに対応したアバターが表示された後、所定時間ユーザが返信をしなかった場合に、アバターが別の待機表現に変化し、ユーザの入力を促す。
なお、待機表現は、送信メッセージそれぞれに対して、都度設定されてもよいが、前述のプレゼンス情報に基づく表現として定義され、送信部１４が送信メッセージとは非同期に送信してもよい。
【００３３】
さらに、送信部１４は、複数の表示データを、受信側の通信端末１における表示条件と共に送信する。
この表示条件は、前記メッセージが閲覧された日時の条件である。例えば、メッセージが閲覧された時間帯に応じた背景、又は閲覧されるまでの時間間隔に応じたアバターの振る舞いが選択される。
【００３４】
受信部１５は、他のユーザの通信端末１から、メッセージ、及びアバターの表示データを受信する。
【００３５】
表示制御部１６は、受信部１５が受信したメッセージと対応付けて、当該メッセージと共に受信した表示データに基づくアバターを表示部４０に表示させる。
【００３６】
また、表示制御部１６は、履歴ＤＢ２２の中からメッセージの選択を受け付けると、この選択されたメッセージに対応付けられている表示データに基づくアバターを表示させる。
なお、表示制御部１６は、複数のメッセージが未読の状態で受信されている場合においても、順次アバターを表示（再生）してもよい。また、ユーザの操作に応じて、この再生をスキップしてもよい。
【００３７】
また、表示制御部１６は、受信部１５により他のユーザの通信端末１からプレゼンス情報を表現するアバターの表示データを受信した場合、メッセージ受信から一定時間が経過した際に、この受信し記憶しておいた表示データに基づくアバターを表示する。
ここで、受信部１５は、他のユーザの通信端末１においてプレゼンス情報が取得されたタイミングで、このプレゼンス情報を示す表示データを受信し、記憶することとしてよい。なお、表示データは、プレゼンス情報そのものを直接示すデータであってよいが、これには限られない。受信部１５は、プレゼンス情報を規定する設定情報（例えば、「２２時以降は寝ている」等）を事前に受信し、表示制御部１６がこの設定情報に基づいてプレゼンス情報を判定し、対応するアバターを表示してもよい。
【００３８】
図２は、本実施形態に係る受信側の通信端末１における画面表示例を示す図である。
通信端末１は、メッセージ４１を受信すると、このメッセージと共に受信した表示データに基づいて、相手ユーザのアバター４１Ａを表示する（ａ）。この例では、メッセージ内の単語「暑い」に対応した表現が採用されている。
【００３９】
通信端末１は、返信メッセージ４２の入力を受け付け、さらに、新たなメッセージ４３を受信する。すると、通信端末１は、新たなメッセージ４３に付随して送信された表示データに基づいて、表現が変化したアバター４３Ａを表示する（ｂ）。この例では、メッセージ内の単語「笑」に対応した表現が採用されている。
【００４０】
その後、通信端末１において、新たにメッセージの入力がないまま所定時間が経過すると、メッセージ４３と共に受信した表示データに含まれている待機表現のアバター４３Ｂを表示する（ｃ）。
【００４１】
なお、この例では、送信した１つのメッセージからアバターの表現が決定される場合を示したが、複数のメッセージに基づいて表現が決定される場合も同様に、新たなメッセージの受信に応じて、アバターの表現が変化していく。
【００４２】
さらに、表示制御部１６は、送信部１４によりメッセージを送信する際に、送信される表示データに基づくアバターを表示させる。なお、この表示は、確認のための一時的なものであってもよいし、送信完了後も継続するものであってもよい。
【００４３】
この送信した表示データに基づいて表示された自分のアバターは、受信した表示データに基づいて表示された通信相手のアバターの表現との組み合わせに基づいて、判定部１３により新たな表現が判定されてもよい。これにより、例えば、通信相手のアバターが寝ている場合、起きている自分のアバターが通信相手のアバターを起こそうとする等、アバター同士の交流が自動的に表現される。
また、送信した表示データに基づいて表示された自分のアバターは、表現の確認後（動画再生後）又は一定時間の経過後に、待機表現又はプレゼンス情報に基づく表現に変更されてもよい。
【００４４】
また、表示制御部１６は、メッセージを送信する際に、判定部１３により判定された複数の表現に対応する複数のアバターを候補として表示させてもよい。この場合、送信部１４は、ユーザからの選択入力を受け付け、複数の候補から選択されたアバターの表示データを送信する。
このとき、表示制御部１６は、メッセージの入力中に、判定部１３により判定された表現に対応するアバターを、選択候補として順次表示してもよい。
【００４５】
図３は、本実施形態に係る送信側の通信端末１における画面表示例を示す図である。
この例では、通信端末１は、自身の送信メッセージに対するアバターも表示している。
【００４６】
通信端末１は、送信メッセージ４４を受け付けると、このメッセージ４４に対応して判定された表現の表示データにより、自端末のユーザのアバター４４Ａを表示する。
ここで、表示データには、送信メッセージ４４に基づくテキスト４４Ｂが含まれてもよい。
【００４７】
この送信メッセージ４４に対して、送信先からの返信メッセージがない場合、通信端末１は、送信先において取得されたプレゼンス情報に基づいて生成されたメッセージ４５を受信し、さらに、このメッセージ４５に対応して判定された表現のアバター４５Ａを表示する。なお、メッセージ４５が非公開であれば、アバター４５Ａのみが表示される。
【００４８】
図４は、本実施形態に係るメッセージの送信処理を示すフローチャートである。
この送信処理は、受付部１１により、送信するメッセージを受け付けたことに応じて実行される。
【００４９】
ステップＳ１において、制御部１０（判定部１３）は、受け付けたメッセージの中から、表現対象データを抽出する。例えば、判定部１３は、形態素解析によりメッセージから得られた単語のうち、所定の評価基準によって重要単語を抽出する。
【００５０】
ステップＳ１ａにおいて、制御部１０（取得部１２）は、現在時刻、履歴情報、位置情報等に基づき、メッセージ送信時の環境情報を取得する。
【００５１】
ステップＳ２において、制御部１０（判定部１３）は、ステップＳ１で抽出された表現対象データ、及びステップＳ１ａで取得された環境情報を、アバターＤＢ２１の表示条件と照合し、アバターの表現を判定する。
このとき、受信側の環境情報に応じた複数の表現が用意されている場合には、これら複数の表現を選択する。
【００５２】
ステップＳ３において、制御部１０（送信部１４）は、ステップＳ２で判定された表現に対応する表示データをアバターＤＢ２１から抽出し、必要に応じて１つの画像として合成する。
なお、受信側での表示条件が複数選択された場合には、この表示条件毎に表示データを抽出及び合成する。
【００５３】
ステップＳ４において、制御部１０（送信部１４）は、受け付けたメッセージ及びアバターの表示データを、指定された宛先の通信端末１へ送信する。
【００５４】
ステップＳ５において、制御部１０（表示制御部１６）は、ステップＳ４で送信した表示データに基づく自分のアバターを表示する。
【００５５】
ステップＳ６において、制御部１０は、新たなメッセージを送信しないまま所定時間が経過したか否かを判定する。この判定がＹＥＳの場合、処理はステップＳ７に移り、判定がＮＯの場合、処理はステップＳ８に移る。
【００５６】
ステップＳ７において、制御部１０（表示制御部１６）は、自端末のユーザのプレゼンス情報に基づく表現に変化した自分のアバターを表示部４０に表示させる。
【００５７】
ステップＳ８において、制御部１０は、次のメッセージを送信するか否か、すなわち受付部１１が新たなメッセージを受け付けたか否かを判定する。この判定がＹＥＳの場合、処理はステップＳ１に戻り、判定がＮＯの場合、処理はステップＳ６に戻る。
【００５８】
図５は、本実施形態に係るメッセージの受信処理を示すフローチャートである。
この受信処理は、メッセージ交換のアプリケーションが起動され、制御部１０が他の通信端末１からメッセージを受信したことに応じて実行される。
【００５９】
ステップＳ１０において、制御部１０は、閲覧時刻等の環境情報を取得し、受信したアバターの複数の表現のうち、環境情報が表示条件を満たすものを選択する。
【００６０】
ステップＳ１１において、制御部１０（表示制御部１６）は、受信したメッセージ、及び選択した表示データに基づくアバターを表示部４０に表示させる。
【００６１】
ステップＳ１２において、制御部１０は、新たなメッセージを受信しないまま所定時間が経過したか否かを判定する。この判定がＹＥＳの場合、処理はステップＳ１３に移り、判定がＮＯの場合、処理はステップＳ１４に移る。
【００６２】
ステップＳ１３において、制御部１０（表示制御部１６）は、先に受信した、又は要求に応じて受信した表示データに基づいて、他のユーザのプレゼンス情報に基づく表現に変化したアバターを表示部４０に表示させる。
【００６３】
ステップＳ１４において、制御部１０は、次のメッセージを受信したか否かを判定する。この判定がＹＥＳの場合、処理はステップＳ１１に戻り、判定がＮＯの場合、処理はステップＳ１２に戻る。
【００６４】
図６は、本実施形態に係るプレゼンス情報の通知処理を示すフローチャートである。
この通知処理は、プレゼンス情報が設定されたとき、他の通信端末１から取得要求を受信したとき、あるいは、メッセージを受信してから所定のタイマーが満了したとき等、所定のタイミングで実行される。
【００６５】
ステップＳ２１において、制御部１０（受付部１１）は、ユーザによる設定入力に基づいて、又は現在時刻、スケジュール情報、加速度センサ情報、測位情報等に基づいて、ユーザのプレゼンス情報を取得し、このプレゼンス情報を表すメッセージを生成する。
【００６６】
ステップＳ２２において、制御部１０（判定部１３）は、ステップＳ２１で取得されたプレゼンス情報又は生成されたメッセージを、アバターＤＢ２１の表示条件と照合し、アバターの表現を判定する。
【００６７】
ステップＳ２３において、制御部１０（送信部１４）は、ステップＳ２２で判定された表現に対応する表示データをアバターＤＢ２１から抽出する。
【００６８】
ステップＳ２４において、制御部１０（送信部１４）は、ステップＳ２１で生成されたメッセージ、及びステップＳ２３で抽出されたアバターの表示データを、他の通信端末１へ送信する。
【００６９】
以上のように、本実施形態によれば、通信端末１は、送信メッセージ及び環境情報に対応した表現のアバターを判定し、メッセージの宛先である他の端末に表示させる。これにより、非同期にメッセージを交換するアプリケーションにおいて、メッセージのやりとりの内容に加えて、送受信日時、場所、相手ユーザとのメッセージの交換頻度により判定される親密度等の環境情報を効果的に表現したアバターが相手ユーザに対して提示される。
【００７０】
また、表示データは、受信側の通信端末１における表示条件と共に送信されるので、メッセージが閲覧された日時等、受信側の環境情報に応じて、アバターの表現を変更できる。
【００７１】
アバターの表現は、所定期間内の複数のメッセージに基づいて判定されるので、連続したメッセージの流れに沿った適切なアバターが表示される。さらに、受信メッセージを含めて判定されることにより、会話の流れに沿った適切なアバターが表示される。
【００７２】
また、通信端末１は、メッセージ及び対応するアバターの表現を履歴として記憶するので、この履歴の中からメッセージが選択されると、対応するアバターを表示させることができる。例えば、ユーザは、過去の送受信メッセージをスクロールさせて、アバターの表現の変化を楽しむと共に、会話の流れを容易に把握することができる。
【００７３】
通信相手に送信されるアバターの表示データは、メッセージに対応した表現に加えて、所定時間後に表示させる表現を含むので、受信側の通信端末では、会話が途切れた際に、アバターがメッセージを待機している表現に変化し、コミュニケーションを促進できる。
【００７４】
また、通信端末１は、ユーザのプレゼンス情報に基づくメッセージを生成する。これにより、ユーザが通信端末１を携帯していないこと、又は見ていないこと等を、相手端末においてアバターで表現できる。
【００７５】
また、通信端末１は、自身が送信したメッセージに対するアバターを、相手端末と同様に自端末でも表示できる。これにより、ユーザは、送信したアバターの表現を確認できると共に、受信したアバターとの対比を楽しむことができる。
【００７６】
さらに、通信端末１は、ユーザが入力したメッセージにより複数の表現が判定される場合には、これら複数の候補から選択入力を受け付けて、ユーザが所望の表現でアバターを表示させることができる。
【００７７】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００７８】
メッセージの交換は、複数人によるチャット形式であってよく、参加人数は２人には限られない。
また、通信端末１は、過去に送信した表示データを履歴ＤＢ２２に記憶し、ユーザがこの履歴の中からアバターの表現を選択する手段を備えていてもよい。
【００７９】
前述の実施形態における通信端末１の機能は、その一部を管理サーバ２が備えていてもよい。例えば、管理サーバ２が判定部１３及び記憶部（アバターＤＢ２１、履歴ＤＢ２２）の機能を備え、送信側の端末から受信したメッセージに基づくアバター表現を判定し、受信側及び送受信の端末へ送信してもよい。
【００８０】
複数の通信端末１によるメッセージ交換方法は、ソフトウェアにより実現される。ソフトウェアによって実現される場合には、このソフトウェアを構成するプログラムが、情報処理装置（通信端末１、管理サーバ２）にインストールされる。また、これらのプログラムは、ＣＤ−ＲＯＭのようなリムーバブルメディアに記録されてユーザに配布されてもよいし、ネットワークを介してユーザのコンピュータにダウンロードされることにより配布されてもよい。
【符号の説明】
【００８１】
１  通信端末
２  管理サーバ
１０  制御部
１１  受付部
１２  取得部
１３  判定部
１４  送信部
１５  受信部
１６  表示制御部
２０  記憶部
２１  アバターＤＢ（アバター記憶部）
２２  履歴ＤＢ
３０  入力部
４０  表示部
５０  通信部
【図１】
2015069368.tif 000003
【図２】
2015069368.tif 000004
【図３】
2015069368.tif 000005
【図４】
2015069368.tif 000006
【図５】
2015069368.tif 000007
【図６】
2015069368.tif 000008